(57)【要約】【課題】ヒートアイランド現象を軽減しつつ、人工建造物からの雨水の流出を抑制し、更に給水管理およびメインテナンスを簡単にし、しかも雨水をより一層有効に利用する。【解決手段】緑化槽２に降った雨水は緑化槽２の土壌を浸透して、底部貯水槽４に貯えられる。底部貯水槽４が満杯になり、土壌６の表面に流出した水は越流部７から第１下部水槽１１内に貯留する。第１下部水槽１１内の水が所定量貯えられると、越流部１３から第２下部水槽１２内に流入しかつ貯えられる。第１下部水槽１１内の水は揚水ポンプ１９で上部貯水槽１７に貯えられて散水装置２１の散水に利用され、また第２下部水槽１２内の水は水洗便所の用水等の他の用水に利用される。第２下部水槽１２内の水は、その水位が第１下部水槽１１内の水より高くなると、逆止弁１４が開いて第１下部水槽１１内に補給される。【選択図】図１
2007267731.tif 000002
【特許請求の範囲】
【請求項１】
人工建造物の平坦部を緑化する緑化システムにおいて、
前記人工建造物の平坦部の上方位置に設置され、植物が生育される緑化槽と、前記緑化槽より下方で前記人工建造物の平坦部に設置され、前記緑化槽から流出する雨水を貯える下部貯水槽と、前記緑化槽より上方に設置された上部貯水槽と、前記下部貯水槽内に貯えられた水を揚水して前記上部貯水槽に供給する揚水手段と、前記上部貯水槽内に貯えられた水を前記植物に散水する散水装置とを備え、
前記下部貯水槽は第１下部水槽と第２下部水槽とからなり、
前記第１下部水槽内に貯えられた水を前記揚水手段により揚水して前記上部貯水槽に供給するように構成されており、
前記第１下部水槽内に所定量以上の水が貯えられたとき、この所定量以上の水が前記第２下部水槽内に流入しかつ貯留するようになっており、
前記第２下部水槽が前記緑化槽以外の用水設備に接続されることを特徴とする緑化システム。
【請求項２】
前記第１下部水槽内の水位が前記第２下部水槽内の水位より低いとき、前記第２下部水槽内の水を前記第１下部水槽内に補給する水補給手段を備えていることを特徴とする請求項１記載の緑化システム。
【請求項３】
前記水補給手段は、前記第２下部水槽から前記第１下部水槽に向かう水の流れのみを許容する逆止弁から構成されていることを特徴とする請求項２記載の緑化システム。
【請求項４】
前記第２下部水槽は順に連通された複数の下部水槽部からなり、前記複数の下部水槽部の１つに、前記第１下部水槽内に所定量以上の水が貯えられたとき、この所定量以上の水が流入しかつ貯留するようになっているとともに、前記複数の下部水槽部の他の１つに、前記用水設備が接続されることを特徴とする請求項１ないし３のいずれか１記載の緑化システム。
【請求項５】
前記緑化槽の下に、この緑化槽を浸透した雨水が貯えられる底部貯水槽を備えており、前記緑化槽と前記底部貯水槽とは共通槽に一体に設けられていることを特徴とする請求項１ないし４のいずれか１記載の緑化システム。
【請求項６】
前記緑化槽と前記底部貯水槽との間を隔離する隔離板を備えているとともに、前記緑化槽に植物が生育される土壌が収納されており、
前記隔離板は、前記緑化槽を通して浸透してきた水を前記底部貯水槽に透水させるとともに前記底部貯水槽に貯えられている水の蒸発水を前記緑化槽の土壌に透水させる透水性を有し、前記緑化槽に降った雨水および前記散水装置からの散水の少なくとも一方が前記緑化槽および前記隔離板を通して前記底部貯水槽内に貯えられるとともに、前記底部貯水槽内の水の蒸発水が前記隔離板を通して前記緑化槽の土壌に透水するようになっていることを特徴とする請求項５記載の緑化システム。
【請求項７】
前記隔離板は所定数の小孔を有しており、前記植物の根が前記小孔を通して前記底部貯水槽内に進入可能となっていることを特徴とする請求項６記載の緑化システム。
【請求項８】
前記緑化槽の土壌に、互いに並設された所定数の可搬の土壌ブロックが用いられていることを特徴とする請求項６または７記載の緑化システム。
【請求項９】
人工建造物の平坦部を緑化する緑化システムにおいて、
前記人工建造物の平坦部の上方位置に設置され、植物が生育される土壌が収納された緑化槽と、前記緑化槽の下に、この緑化槽を浸透した雨水が貯えられる底部貯水槽と、前記緑化槽と前記底部貯水槽との間を隔離する隔離板と、前記緑化槽から流出する雨水を貯える下部貯水槽とを備えており、
前記緑化槽の土壌に、所定形状に形成されかつ互いに並設された所定数の可搬の土壌ブロックが用いられており、
前記隔離板は、前記緑化槽を通して浸透してきた水を前記底部貯水槽に透水させるとともに前記底部貯水槽に貯えられている水の蒸発水を前記緑化槽の土壌に透水させる透水性を有することを特徴とする緑化システム。
【請求項１０】
前記土壌ブロックが前記緑化槽内に設置される前に、植物の種子が前記土壌ブロックの土壌中に予め含まれていることを特徴とする請求項８または９記載の緑化システム。
【発明の詳細な説明】
【技術分野】
【０００１】
本発明は、例えば屋上、ベランダ、テラス、舗装グランドや舗装道路等の人工地盤などの人工建造物の、例えばコンクリートあるいはアスファルトの舗装面等の平坦部を緑化する緑化システムの技術分野に関し、特に、緑化する平坦部に降る雨による洪水等を抑制しつつ、雨水を有効に利用することのできる緑化システムの技術分野に関する。
【背景技術】
【０００２】
近年、地球上においては温度が上昇するというヒートアイランド現象が問題となっている。このヒートアイランド現象の一因として、建築物の屋上、ベランダ、テラス、舗装グランドや舗装道路等の人工地盤などの人工建造物に照射する日光の照り返しや輻射熱による温度上昇、建築物の冷房の過剰使用による温度上昇、あるいは化石燃料の過剰使用で多量発生するＣＯ2による温度上昇等が挙げられる。
【０００３】
そこで、前述の人工建造物を緑化して温度上昇を抑制することで、このヒートアイランド現象を軽減することが種々提案されている（例えば、特許文献１ないし４参照）。
特許文献１には、雨水タンクに雨水を貯め、この雨水を自然落下により緑化用人工地盤中に供給して緑化用植物を栽培することで、地下水源等に頼ることなく、屋上を緑化することが開示されている。
【０００４】
また、特許文献２には、パイプで形成した貯水槽に雨水を貯めて、この雨水をポンプで揚水して散水ノズルから屋上庭園に散水して植物栽培をはかることが開示されている。
更に、特許文献３には、貯水槽の水を送給することで屋上を緑化するための植物栽培装置を搬送可能にすることが開示されている。
【０００５】
更に、特許文献４には、直接の緑化システムではないがヒートアイランド現象を軽減するものとして、建築物の屋上に降る雨水の全てを排水管を通じて地上に設置された貯水タンクに貯め、この雨水をポンプで揚水して給水管を通じて屋上に散水することで、建築物の屋上に降る雨水の全てを一気に下水へ排水することなく有効に利用してヒートアイランド現象を抑制し、その際、貯水タンクから揚水した雨水を屋上に設置したビオトープに一旦給水してビオトープ内の水草類や水苔類などで水中に含まれるタンパク質や窒素化合物、窒素、リン酸、カリウムなど不純物を吸収させ、雨水の腐敗を防止することが開示されている。
【特許文献１】特開２００３−２３８８３号公報。
【特許文献２】特開２００３−２１３７３５号公報
【特許文献３】特開２００３−２３８６８号公報。
【特許文献４】特開２００３−１０５８８３号公報。
【発明の開示】
【発明が解決しようとする課題】
【０００６】
しかしながら、前述の特許文献１に開示のものは、屋上に設置された雨水タンクに降った雨水を貯めるものであることから、屋上に降った雨水の建築物から外部への流出を一時的に制限するものの、屋上に設けた緑化用人工地盤の面積よりかなり小さい横断面積の雨水タンクに降った雨水のみを貯めるため、屋上に降った雨水を効率よく貯めることができず、建築物から外部への雨水の流出制限効果は小さい。このため、建築物の外部周囲における自然災害である洪水を防止することができない。特に、近年の降雨の傾向は、きわめて多くの雨量の雨が短時間に集中して降る、いわゆる熱帯のスコールのような大雨の傾向にあるが、このような大雨に対しては、建築物周囲の洪水を効果的にかつ十分に防止することができないという問題がある。
【０００７】
また、雨水タンクに貯まった雨水を緑化用人工地盤に単に給水するだけのものであるため、雨水タンクの雨水は給水時のみ植物の生育に利用されるだけであって、有効に利用されていないばかりでなく、給水頻度が多くなってバルブ開閉等の給水管理が煩雑であるという問題がある。しかも、雨水タンクに雨水を貯めるため、雨水タンクを上方に常時開放しておく必要があるが、雨水タンクを長期間開放すると、雨水タンクに貯まっている雨水が腐敗してしまい、この雨水の腐敗により藻等の不純物が発生するばかりでなく、この不純物がバルブや配管を詰まらせてしまう。このため、バルブや配管のメインテナンスが煩雑となる問題がある。
【０００８】
更に、前述の特許文献２に開示のものは、雨水を細長い雨水樋を通じて貯水槽に貯めるものであることから、屋上あるいは屋根に降った雨水の建築物から外部への流出を一時的に制限するものの、雨水樋の横断面積がかなり小さいため、特許文献１に開示のものと同様に屋上あるいは屋根に降った雨水を効率よく貯めることができず、建築物から外部への雨水の流出制限効果は小さい。このため、特許文献１に開示のものと同様に建築物の外部周囲における洪水を効果的にかつ十分に防止することができないという問題がある。
【０００９】
また、貯水槽に貯まった雨水を植物の緑化槽に単に給水するだけのものであるため、同様に貯水槽の雨水は給水時のみ植物の生育に利用されるだけであって、有効に利用されていないばかりでなく、給水頻度が多くなってバルブ開閉等の給水管理が煩雑であるという問題がある。
【００１０】
更に、前述の特許文献３に開示のものは、雨水を貯水槽に貯めるものであることから、屋上に降った雨水の建築物から外部への流出を一時的に制限するものの、貯水槽の横断面積がかなり小さいため、特許文献１および２に開示のものと同様に屋上に降った雨水を効率よく貯めることができず、建築物から外部への雨水の流出制限効果は小さい。このため、特許文献１および２に開示のものと同様に建築物の外部周囲における洪水を効果的にかつ十分に防止することができないという問題がある。
【００１１】
また、貯水槽に貯まった雨水を植物の緑化槽に単に給水するだけのものであるため、同様に貯水槽の雨水は給水時のみ植物の生育に利用されるだけであって、有効に利用されていないばかりでなく、給水頻度が多くなってバルブ開閉等の給水管理が煩雑であるという問題がある。
【００１２】
更に、前述の特許文献４に開示のものは、屋上の緑化システムではないが、屋上に降った雨水を細長い排水管を通じて貯水タンクに貯めるものであることから、屋上に降った雨水の建築物から外部への流出を一時的に制限するものの、貯水槽の横断面積がかなり小さいため、特許文献１ないし３に開示のものと同様に屋上に降った雨水を効率よく貯めることができず、建築物から外部への雨水の流出制限効果は小さい。このため、特許文献１ないし３に開示のものと同様に建築物の外部周囲における洪水を効果的にかつ十分に防止することができないという問題がある。
【００１３】
また、屋上に植物の緑化槽が設置されておらず、貯水タンクに貯まった雨水を屋上に設置したビオトープで浄水して屋上全体に単に散水するだけであるので、貯水タンクの雨水が植物の生育に有効利用されるものではない。
【００１４】
本発明はこのような問題に鑑みてなされたものであって、その目的は、人工建造物の緑化によりヒートアイランド現象の軽減を図りつつ、人工建造物からの雨水の流出を効果的に抑制し、更に給水管理およびメインテナンスを簡単にし、しかも雨水をより一層有効に利用することのできる緑化システムを提供することである。
【課題を解決するための手段】
【００１５】
前述の課題を解決するために、請求項１に係る発明の緑化システムは、人工建造物の平坦部を緑化する緑化システムにおいて、前記人工建造物の平坦部の上方位置に設置され、植物が生育される緑化槽と、前記緑化槽より下方で前記人工建造物の平坦部に設置され、前記緑化槽から流出する雨水を貯える下部貯水槽と、前記緑化槽より上方に設置された上部貯水槽と、前記下部貯水槽内に貯えられた水を揚水して前記上部貯水槽に供給する揚水手段と、前記上部貯水槽内に貯えられた水を前記植物に散水する散水装置とを備え、前記下部貯水槽は第１下部水槽と第２下部水槽とからなり、前記第１下部水槽内に貯えられた水を前記揚水手段により揚水して前記上部貯水槽に供給するように構成されており、前記第１下部水槽内に所定量以上の水が貯えられたとき、この所定量以上の水が前記第２下部水槽内に流入しかつ貯留するようになっており、前記第２下部水槽が前記緑化槽以外の用水設備に接続されることを特徴としている。
【００１６】
また、請求項２の発明の緑化システムは、前記第１下部水槽内の水位が前記第２下部水槽内の水位より低いとき、前記第２下部水槽内の水を前記第１下部水槽内に補給する水補給手段を備えていることを特徴としている。
更に、請求項３の発明の緑化システムは、前記水補給手段が、前記第２下部水槽か前記第１下部水槽に向かう水の流れのみを許容する逆止弁から構成されていることを特徴としている。
【００１７】
更に、請求項４の発明の緑化システムは、前記第２下部水槽が順に連通された複数の下部水槽部からなり、前記複数の下部水槽部の１つに、前記第１下部水槽内に所定量以上の水が貯えられたとき、この所定量以上の水が流入しかつ貯留するようになっているとともに、前記複数の下部水槽部の他の１つに、前記用水設備が接続されることを特徴としている。
【００１８】
更に、請求項５の発明の緑化システムは、前記緑化槽の下に、この緑化槽を浸透した雨水が貯えられる底部貯水槽を備えており、前記緑化槽と前記底部貯水槽とは共通槽に一体に設けられていることを特徴としている。
【００１９】
更に、請求項６の発明の緑化システムは、前記緑化槽と前記底部貯水槽との間を隔離する隔離板を備えているとともに、前記緑化槽に植物が生育される土壌が収納されており、前記隔離板が、前記緑化槽を通して浸透してきた水を前記底部貯水槽に透水させるとともに前記底部貯水槽に貯えられている水の蒸発水を前記緑化槽の土壌に透水させる透水性を有し、前記緑化槽に降った雨水および前記散水装置からの散水の少なくとも一方が前記緑化槽および前記隔離板を通して前記底部貯水槽内に貯えられるとともに、前記底部貯水槽内の水の蒸発水が前記隔離板を通して前記緑化槽の土壌に透水するようになっていることを特徴としている。
【００２０】
更に、請求項７の発明の緑化システムは、前記隔離板は所定数の小孔を有しており、前記植物の根が前記小孔を通して前記底部貯水槽内に進入可能となっていることを特徴としている。
更に、請求項８の発明の緑化システムは、前記緑化槽の土壌に、互いに並設された所定数の可搬の土壌ブロックが用いられていることを特徴としている。
【００２１】
更に、請求項９の発明の緑化システムは、人工建造物の平坦部を緑化する緑化システムにおいて、前記人工建造物の平坦部の上方位置に設置され、植物が生育される土壌が収納された緑化槽と、前記緑化槽の下に、この緑化槽を浸透した雨水が貯えられる底部貯水槽と、前記緑化槽と前記底部貯水槽との間を隔離する隔離板と、前記緑化槽から流出する雨水を貯える下部貯水槽とを備えており、前記緑化槽の土壌に、所定形状に形成されかつ互いに並設された所定数の可搬の土壌ブロックが用いられており、前記隔離板が、前記緑化槽を通して浸透してきた水を前記底部貯水槽に透水させるとともに前記底部貯水槽に貯えられている水の蒸発水を前記緑化槽の土壌に透水させる透水性を有することを特徴としている。
更に、請求項１０の発明の緑化システムは、前記土壌ブロックが前記緑化槽内に設置される前に、植物の種子が前記土壌ブロックの土壌中に予め含まれていることを特徴としている。
【発明の効果】
【００２２】
本発明に係る緑化システムによれば、建築物の屋上、ベランダ、テラス、舗装グランドや舗装道路等の人工地盤などの人工建造物の平坦部に緑化システムを構築しているので、緑化槽の表面から水分が蒸発することで、この蒸発熱の効果からヒートアイランド現象を緩和することができる。これにより、夏季において建造物の温度上昇が抑制されるので、例えば建築物の冷房の使用を低減できる。したがって、この冷房の使用低減によっても、ヒートアイランド現象の緩和を更に緩和することができる。
【００２３】
また、緑化槽から流出する水を下部貯水槽に貯留するようにしているので、人工建造物の平坦部の緑化槽に降った雨水がこの緑化槽から溢れても人工建造物からその周囲に直接流出することを阻止でき、人工建造物からの雨水の流出をより一層効果的に抑制および遅延することができる。特に、多くのビルが林立するビル群の有る都市域において、各ビルの屋上に緑化システムを設置することで建築物からの雨水の流出を効果的に抑制および遅延でき、都市域における洪水あるいは建築物内への浸水を防止できる。しかも、前述のスコールのようなきわめて多くの雨量の大雨に対して下部貯水槽の深さ（容量）を適宜設定することで、多量の雨水を下部貯水槽に確実に貯水でき、建築物からの雨水の流出をより効果的に抑制および遅延することができる。
【００２４】
しかも、下部貯水槽を第１および第２下部水槽に区画しているので、緑化槽への散水のための水を第１下部水槽内に貯留するとともに、緑化槽への散水用として必要でない余分な水を第２下部水槽内に貯留しかつ第２下部水槽内の水を、例えば水洗便所の用水等の建築物内の種々の用水設備のための用水に利用することができる。
これにより、前述のヒートアイランド現象の軽減を図りかつ人工建造物からの雨水の流出を効果的に抑制して自然災害を未然に防止しあるいは自然災害による被害をより少なく抑えつつ、下部貯水槽内に貯留された水を種々の用水に無駄なく効率よく利用することができる。
【００２５】
更に、下部貯水槽を第１および第２下部水槽に区画し、かつ第２下部水槽内の水を第１下部水槽内に補給する水補給手段を備えているので、降雨が少なく、第１下部水槽内に散水に必要な量の水が貯え難い場合に、第１下部水槽内の水位が第２下部水槽内の水位より低くなると、水補給手段により第２下部水槽内の水が第１下部水槽内に補給されるので、散水に必要な水をより安定してより確実に確保することができる。
【００２６】
更に、第２下部水槽を順に連通された複数の下部水槽部から構成し、これらの複数の下部水槽部の１つに、第１下部水槽内に所定量以上の水が貯えられたとき、この所定量以上の水を貯留させるとともに、複数の下部水槽部の他の１つに用水設備を接続しているので、第２下部水槽を人工建造物の緑化システム設置場所の形状に柔軟に対応させて配置することができ、第２下部水槽の設置自由度を高くすることができる。
【００２７】
更に、緑化槽の下に底部貯水槽を設けているので、降雨時、人工建造物に降った雨水をこの底部貯水槽で一旦貯えることができる。これにより、人工建造物に降った雨水が建築物からその周囲に直接流出することを阻止できるので、人工建造物からの雨水の流出を抑制および遅延することができる。特に、多くのビルが林立するビル群の有る都市域において、各ビルの屋上に本発明の緑化システムを設置することで建築物からの雨水の流出を効果的に抑制でき、都市域における洪水あるいは建築物内への浸水を防止できる。しかも、スコールのようなきわめて多くの雨量の大雨に対して底部貯水槽の深さ（容量）を適宜設定することで、多量の雨水を底部貯水槽に確実に貯水でき、建築物からの雨水の流出をより効果的に抑制することができる。
【００２８】
また、緑化槽と底部貯水槽との間に所定数の小孔を有する隔離板を介在させているので、直物の根がこれらの小孔を通って底部貯水槽の貯水中に進入することで、底部貯水槽内の水を植物の生育に有効に利用することができる。これにより、散水装置の作動頻度を少なくでき、散水装置の作動管理を簡略化することができる。その場合、植物に点滴状に散水しているので、給水時に緑化槽表面の洗掘を防止でき、緑化槽の領域全体に均一に給水することができる。
特に、散水装置の作動を制御装置で自動制御することで、給水管理および緑化システムのメインテナンスを簡単にすることができる。
【００２９】
このようにして、人工建造物の緑化によるヒートアイランド現象の軽減を図りつつ、人工建造物からの雨水の流出を効果的に抑制および遅延して自然災害を未然に防止しあるいは自然災害による被害をより少なく抑え、しかも緑化槽の植物を効果的に育成することができる。
【００３０】
更に、下部貯水槽および上部貯水槽の２つの貯水槽、あるいは底部貯水槽、下部貯水槽および上部貯水槽の３つの貯水槽を設けるだけで、屋上の緑化と建築物からの雨水の流出抑制とを行っているので、簡単な構成でかつ低コストで緑化システムを構築することができる。特に、緑化システムをブロック単位で構成することにより、所定数のブロックを単に並べて配置するだけで、緑化システムの設置を短時間で簡便に行うことができる。しかも、このブロックを可搬型にすれば、任意の設置場所および屋上の任意の形状に柔軟に対応して設置することができる。
【００３１】
そのうえ、緑化槽の土壌に、可搬可能な土壌ブロックを用いることで、土壌の運搬作業および緑化槽への土壌の収納作業がともに簡単にかつ作業時間を短縮できる。しかも、土壌ブロックの設置前にこの土壌ブロックの土壌中に予め植物の種子を含ませる（蒔く）ことで、土壌ブロックの設置後に植物の種子を蒔く作業を不要にできる。そして、土壌の運搬作業および緑化槽への土壌の収納作業が簡単になることで、緑化槽の設置もきわめて簡単になる。しかも、土壌ブロックの設置後に植物の種蒔き作業が不要となることで、緑化システムの設置作業をきわめて簡単にできかつ設置時間を効果的に短縮できる。
【００３２】
更に、上部貯水槽を下部貯水槽のすぐ上に設けているので、下部貯水槽と上部貯水槽との高低差を小さくできる。これにより、下部貯水槽内の水と上部貯水槽内の水との位置エネルギ差を小さくできるので、揚水手段による揚水エネルギを小さくできる。したがって、揚水手段を小型にでき、揚水手段の揚水ポンプに小型ポンプを用いることができる。しかも、本発明の緑化システムでは雨水を用い水道水を使用しないので、小型ポンプの使用に相俟って散水装置の稼動費および管理費を安価にすることができる。
【００３３】
更に、複数のブロックの各緑化槽に、前述の陸地型、水中植物型、およびビオトープ型のいくつかの緑化槽を適宜組み合わせ使用することにより、ヒートアイランド現象をより効果的に低減できるとともに、屋上の景観を良好にしてオアシスの機能を発揮させることができる。
【発明を実施するための最良の形態】
【００３４】
以下、図面を用いて、本発明の実施の形態を説明する。
図１は、本発明に係る緑化システムの実施の形態の第１例を模式的に示し、（ａ）は全体概略図、（ｂ）は（ａ）における部分拡大図である。
図１（ａ）に示すように、この第１例の緑化システム１は、人工建造物の平坦部である建築物の屋上に設けられた屋上緑化システムとして構成されており、緑化槽２を備えているとともにこの緑化槽２の真下に隔離板３を介して底部貯水槽４を備えている。これらの緑化槽２および底部貯水槽４は１つの共通槽として一体に形成されている。なお説明の便宜上、図１（ａ）には、底部貯水槽４、隔離板３および緑化槽２は、同図において左右方向に沿う鉛直面による断面で示されている。
【００３５】
緑化槽２および底部貯水槽４はいずれも同じ所定の大きさの平面視矩形状に形成されている。そして、底部貯水槽４は緑化槽２の下面のすべてを覆うように配置されている。この底部貯水槽４は、緑化槽２に降った雨の浸透水を貯留して、建築物に降った雨水の流出の削減と、緑化槽２からの水分蒸発分を補給する等の緑化槽２への水分補給のための補給水源として機能する。
【００３６】
底部貯水槽４の深さｈ0は雨水の上記流出削減の目標と緑化槽への水分補給とを考慮して設定され、底部貯水槽４の空の状態で例えば５０ｍｍ／ｈｒ程度の降雨量の大雨までの雨水を貯水可能な深さに設定されている。
また、隔離板３は共通槽の内周面にほとんど隙間なく嵌合される大きさの矩形状に形成されており、この隔離板３は緑化槽２と底部貯水槽４とを隔離するとともに、緑化槽２に点滴された水が土壌６中に均一に浸透させるためのものである。図２（ａ）に示すように、隔離板３には多数の小孔３ａが二次元的に縦横に整列されて設けられている。
【００３７】
緑化槽２は多数の植物５を植える槽であり、この緑化槽２には土壌６が収納されている。その場合、土壌６の土が隔離板３の小孔３ａを通して底部貯水槽４内に落下しないようにするため、まず、径が小孔３ａの径より大きな小石を隔離板３の上に敷き詰め、次いで敷き詰めた小石の上にそれらの小石より径の小さな小石や砂利あるいは砂を敷き詰め、最後にそれらの上に土を敷き詰めるようにする。また、小石や砂利あるいは砂に代えて、後述する図７（ａ）,（ｂ）および図８に示す土壌ブロック２９に用いられる底面板３０を用いることもできる。
【００３８】
土壌６に草花や雑木などの植物５が植えられていて、この第１例の緑化槽２は陸地植物生育型に形成されている。なお、緑化槽２は前述の陸地植物生育型に代えて、稲や芹などの水中植物生育型に形成することもできるし、あるいは、小水路のあるビオトープ型に形成することもできる。また、陸地植物生育型、水中植物生育型およびビオトープ型の少なくともいずれか２つ以上を組み合わせることもできる。
【００３９】
そして、屋上の緑化槽２に降った雨が緑化槽２内の土壌６を浸透しかつ隔離板３の多数の小孔３ａを通過して底部貯水槽４内に浸入して貯水されるようになっている。なお、隔離板３の多数の小孔３ａは必ずしも縦横に整列されて設けられる必要はなく、図２（ｂ）に示すように二次元的にランダムに配置されて設けられてもよい。
【００４０】
図１（ａ）に示すように、各植物５が成長すると、それらの根５ａが対応する小孔３ａを通って底部貯水槽４内の水まで伸びてその水を吸い上げることができるようになっている。このように、各植物５は底部貯水槽４内の水を直接吸い上げることによっても生育するようになっている。その場合、図７（ａ）,（ｂ）および図８に示す底面板３０を用いるときには、この底面板３０にも植物５の根５ａが通過可能でかつ土壌の土が落下しない程度の大きさの小孔を設けるようにする。
なお、多数の小孔３ａを有する隔離板３に代えて、メッシュ状の隔離板を用いることもできる。したがって、本発明の多数の小孔を有する隔離板には、メッシュ状の隔離板も含まれる。
【００４１】
底部貯水槽４および緑化槽２の共通槽の一側の、緑化槽２が形成される側壁２ａには、緑化槽越流部７が設けられている。この緑化槽越流部７は底部貯水槽４の底部からの高さｈ1の位置に設けられており、この例ではこの高さｈ1は緑化槽２内の土壌６の表面（上面）より若干（数ｃｍ程度）高く設定されている。また、緑化槽越流部７には、流出パイプ８が連結されている。緑化槽越流部７および流出パイプ８はそれぞれ１組設けてもよいし、所定数組を図１（ａ）の図面に直交する方向に所定の間隔を置いて設けてもよい。そして、図示しないが、このように構成された底部貯水槽４および緑化槽２の共通槽は一対並設されている。
【００４２】
更に、この第１例の緑化システム１は平面視矩形状の下部貯水槽９を備えており、この下部貯水槽９は底部貯水槽４および緑化槽２の共通槽の下方に設けられている。なお説明の便宜上、図１（ａ）には、下部貯水槽９は図１（ａ）において左右方向に沿う鉛直面による断面で示されている。下部貯水槽９の内部は隔壁１０により第１下部水槽１１と第２下部水槽１２とに区画されている。
【００４３】
第１下部水槽１１は、後述するように緑化槽２および底部貯水槽４の共通層から流出する水を貯える貯留槽とされているとともに、第１下部水槽１１の水を後述する上部貯水槽１７に補給するための補給水源とされている。第１下部水槽１１の貯水量は設置場所や使用態様に応じて異なるが、通常、後述する点滴型散水装置２１の散水量の１カ月分ないし１.５カ月分の量を貯水する。また、第２下部水槽１２は第１下部水槽１１で貯留できなかった分の水を貯える貯留槽とされ、この第２下部水槽１２に貯留した水は、後述するように例えば水洗便所の用水等の種々の用水として利用される。
【００４４】
下部貯水槽９の底部から隔壁１０の上縁までの高さｈ2は下部貯水槽９の側壁９ａの高さより低く設定されていて、この隔壁１０の上縁は下部貯水槽越流部１３とされている。したがって、第１下部水槽１１内に貯えられた水の水位が下部貯水槽越流部１３の高さより高くなると、第１下部水槽１１内の水が下部貯水槽越流部１３を通して第２下部水槽１２内に流出しかつ貯えられるようになっている。
【００４５】
また、図１（ｂ）に拡大して示すように、隔壁１０の下端部には、第１下部水槽１１と第２下部水槽１２とが互いに連通する開口１０ａが設けられている。この開口１０ａには、第２下部水槽１２から第１下部水槽１１への水の流れを許容するが、逆の第１下部水槽１１から第２下部水槽１２への水の流れを阻止する逆止弁１４（本発明の水補給手段に相当）が設けられている。これらの開口１０ａおよび逆止弁１４はそれぞれ１組設けてもよいし、所定数組を図１（ｂ）の図面に直交する方向に所定の間隔を置いて設けてもよい。
【００４６】
したがって、図１（ａ）に示すように第１下部水槽１１内の水位が第２下部水槽１２内の水位より高いときは、第１下部水槽１１内の水が開口１０ａを通して第２下部水槽１２内へ流出しようとしても、逆止弁１４が閉じてこの水の流出を阻止するので、水は第１下部水槽１１から第２下部水槽１２内へ流出しない。また、図１（ｂ）に示すように第２下部水槽１２内の水位が第１下部水槽１１内の水位より高いときは、第２下部水槽１２内の水が、矢印で示すように逆止弁１４を開いて開口１０ａを通して第１下部水槽１１内へ流出するようになる。これにより、降雨が少なく、第１下部水槽１１に散水に必要な量の水が貯え難い場合に、第２下部水槽１２内の水が第１下部水槽１１内に補給されるので、散水に必要な水をより安定してより確実に確保することができる。
【００４７】
第２下部水槽１２側の側壁９ａには、第２下部水槽越流部１５が下部貯水槽９の底部から高さｈ3の位置に設けられている。その場合、第２下部水槽越流部１５の高さｈ3は下部貯水槽越流部１３の高さｈ2より高く（ｈ3＞ｈ2）設定されている。したがって、例えば多くの降雨量等により、第２下部水槽１２内に貯えられた水の水位が第２下部水槽越流部１５の高さより高くなると、第２下部水槽１２内の水が第２下部水槽越流部１５を通して外部に流出し、その流出量が大雨時等に建築物へ降った雨の河川への流出量となる。その場合、第２下部水槽越流部１５の断面積の大きさは、第２下部水槽１２内の水が第２下部水槽越流部１５を通って外部に流出する際に第２下部水槽越流部１５内に空気通路が形成される大きさに設定されている。
【００４８】
更に、同じく第２下部水槽１２側の側壁９ａには、第２下部水槽用水取り出し口１６が下部貯水槽９の底部から高さｈ4の位置に設けられている。その場合、第２下部水槽用水取り出し口１６の高さｈ4は下部貯水槽越流部１３の高さｈ2より低く（ｈ4＜ｈ2）設定されている。この第２下部水槽用水取り出し口１６は、例えば水洗便所等の種々の用水設備に接続される。
【００４９】
したがって、第２下部水槽１２内に貯えられた水の水位が第２下部水槽用水取り出し口１６の高さｈ4より高いときには、第２下部水槽１２内の水は第２下部水槽用水取り出し口１６から外部に取り出されて、緑化槽２への散水以外の、例えば水洗便所の用水等の種々の用水に利用されるようになっている。なお、第２下部水槽用水取り出し口１６は、例えば開閉弁により通常時は閉じ、必要時に開閉弁を開くことで第２下部水槽１２内の水を取り出すようにすることもできる。
【００５０】
また、第２下部水槽１２内に貯えられた水の水位が第２下部水槽用水取り出し口１６の高さｈ4より低いときには、第２下部水槽１２内の水は第２下部水槽用水取り出し口１６から外部に流出しなく、第２下部水槽１２内に貯留されたままとなる。したがって、第２下部水槽１２内に貯えられた水のうち、その水位が第２下部水槽用水取り出し口１６の高さｈ4より高い分の水は前述のように用水に利用され、水位が第２下部水槽用水取り出し口１６の高さｈ4より低い分の水は、例えば渇水時等に利用するための、備えの水とされている。
【００５１】
１つの下部貯水槽９に対して、底部貯水槽４および緑化槽２の共通槽が一対対応して設けられている。そして、一対の共通槽の各緑化槽越流部７にそれぞれ連結された各流出パイプ８はいずれも下部貯水槽９の第１下部水槽１１内に進入して設けられている。したがって、緑化槽２から緑化槽越流部７を通じて流出する水が流出パイプ８を通して第１下部水槽１１内に流入しかつ貯えられるようになっている。その場合、緑化槽越流部７に例えばメッシュあるいは格子状部材等からなる異物流出阻止部材を設けることで、緑化槽２内の枯葉やゴミ等の異物が流出パイプ８を通して第１下部水槽１１内に流入するのを阻止するようにすることもできる。これにより、第１下部水槽１１内への異物の堆積が抑制される。なお、１つの下部貯水槽９に対する底部貯水槽４および緑化槽２の共通槽は一対に限定されることはなく、共通槽は１つ以上の任意の数を１つの下部貯水槽９に対応させることができる。また、下部貯水槽９の上方開口部は閉じられている。
【００５２】
更に、この例の緑化システム１は平面視矩形状の上部貯水槽１７を備えており、この上部貯水槽１７は下部貯水槽９の上方でかつ底部貯水槽４および緑化槽２の共通槽より上方に設けられている。なお説明の便宜上、図１（ａ）には、上部貯水槽１７は図１（ａ）において左右方向に沿う鉛直面による断面で示されている。
【００５３】
上部貯水槽１７には、少なくとも第１下部水槽１１内の所定量の水１８が貯水されるようになっている。この上部貯水槽１７は、後述する点滴型散水装置２１への給水のための水を貯留するものであり、その貯水量は設置場所や使用態様に応じて異なるが、通常約１週間分の散水量を貯水する。なお、貯水量はこれに限定されるものではない。
【００５４】
第１下部水槽１１内の水１８を上部貯水槽１７内に送給するために、第１下部水槽１１内には揚水ポンプ１９が設置されているとともに、この揚水ポンプ１９に揚水ホース２０が連結されている。この揚水ホース２０は、その先端が上部貯水槽１７内に向くようにして設けられている。これらの揚水ポンプ１９および揚水ホース２０により本発明の揚水手段が構成されている。
【００５５】
下部貯水槽９の上方開口部は揚水ホース２０を通して上部貯水槽１７内に水を送給可能に、例えば蓋等により開閉可能に閉塞されている。したがって、下部貯水槽９内の水は直接外気に触れないとともに日光に直射されないので、水の蒸発が抑制されるとともに、水の腐敗が抑制されて藻等の不純物の発生が低減され、更に、下部貯水槽９内へのごみ等の異物の混入が防止されるようになっている。
【００５６】
そして、第１下部水槽１１内の所定量の水１８が貯えられている状態で、上部貯水槽１７内に所定量の水が貯えられていないときには、揚水ポンプ１９が所定時間駆動されて第１下部水槽１１内の水１８が上部貯水槽１７内に所定量送給されるようになっている。なお、図示しないが上部貯水槽１７内に水位検知センサを設置して、この水位検知センサからの上部貯水槽１７内の水位の検知信号に基づいて、図示しない制御装置（コンピュータ）が揚水ポンプ１９の駆動開始（揚水開始）および駆動停止（揚水停止）を自動的に制御するようにすることもできる。その場合、更に第１下部水槽１１内にも水位検知センサを設置して、この水位検知センサからの第１下部水槽１１内の水位の検知信号に基づいても、制御装置が揚水ポンプ１９の駆動開始（揚水開始）および駆動停止（揚水停止）を自動的に制御することで、揚水開始および揚水停止をより一層正確にかつより一層効率よく行うことができる。また、揚水ポンプ１９として、水位感知型のポンプを用いることもできる。この水位感知型のポンプを用いた場合には、第１下部水槽１１内の水位検知センサは省略される。
【００５７】
この第１例の緑化システム１では、揚水ポンプ１９を駆動する電力として、太陽電池であるソーラーパネルで発電された電力を用いている。しかし、通常の電力等の他の電力を用いることもできる。
【００５８】
上部貯水槽１７の上方開口部も、下部貯水槽９の場合と同様に揚水ホース２０を通して上部貯水槽１７内に水を送給可能に、例えば蓋等で開閉可能に閉塞されている。したがって、上部貯水槽１７内の水は直接外気に触れないとともに日光に直射されないので、水の蒸発が抑制されるとともに、水の腐敗が抑制されて藻等の不純物の発生が低減され、更に、上部貯水槽１７内へのごみ等の異物の混入が防止されるようになっている。
【００５９】
これにより、この不純物で、後述する点滴型散水装置２１の開閉バルブ２２や点滴型散水パイプ２３が詰まることが抑制され、メインテナンスが簡略化する。なお、上部貯水槽１７の上方開口部は開放することもできる。その場合には、上部貯水槽１７に降る雨水がこの上部貯水槽１７に一旦貯えれるので、上方開口部を閉塞する場合に比べて水の流出制限効果が若干多く得られる。しかし、上方開口部を開放すると、上部貯水槽１７内の水が直接外気に触れるとともに日光に直射されることで腐敗する可能性があるので、上部貯水槽１７の上方開口部は閉塞することが望ましい。更に、上部貯水槽１７の上部開口部を蓋で閉塞する場合に、上部貯水槽１７の蓋を傾斜させるとともにこの傾斜した蓋の低い方側に孔を設け、傾斜した蓋の上に降った雨水を集水して蓋の孔から上部貯水槽１７内に流すようにすることもできる。なお、図示しないが上部貯水槽１７にも越流部を設ることもできる。
【００６０】
上部貯水槽１７の側壁１７ａには、散水装置として点滴型散水装置２１が設けられている。この点滴型散水装置２１は、側壁１７ａの取出し孔（不図示）に設けられかつ開閉バルブ２２を有する点滴型散水装置制御部とこの開閉バルブ２２に連結されかつ多数の小孔２３ａが下部に穿設された細長い点滴型散水パイプ２３とから構成されている。
【００６１】
開閉バルブ２２が前述の制御装置によって開かれると、上部貯水槽１７の水が滴型散水パイプ２３を通して涙滴状あるいは水滴状に散水され、開閉バルブ２２が前述の制御装置によって閉じられると、この散水が停止される。また、点滴型散水パイプ２３は開閉バルブ２２側から先端に向かって下がるように傾斜して設けられていて、先端側の小孔２３ａにも水が確実に供給されるようにされている。
【００６２】
上部貯水槽１７への揚水のための揚水ポンプの運転制御（つまり揚水方法）および間欠散水のための開閉バルブ２２の開閉制御（つまり散水方法）は、次の方法を用いることができる。
（１）点滴型散水装置２１に時間設定機能を持たせ、開閉バルブ２２が前述の制御装置によって、予め設定された散水時間に基づいて開閉制御されるようにする。すなわち、制御装置は散水時間に基づいて、開閉バルブ２２を通常時は閉じているが、予め設定された植物５に水が必要な時刻に、同じく予め設定された必要な時間だけ開くように開閉制御して、間欠散水を行う。この場合には、揚水ポンプ１９による揚水開始および揚水停止の制御は、上部貯水槽１７の水位に基づいて行うようにすることが望ましい。
【００６３】
（２）点滴型散水装置２１に（１）の時間設定機能を持たせないで、予め設定された揚水ポンプ１９の間欠揚水時間で散水を制御する。この場合には、揚水ポンプ１９の運転制御機構である制御装置が揚水ポンプ１９の揚水開始および揚水停止を制御するが、その制御方法として、（Ａ）制御装置が揚水開始時間を制御して、設定された揚水開始時間で揚水ポンプ１９を駆動開始し、上部貯水槽１７の水位が予め設定された水位となると、揚水ポンプ１９を駆動停止する方法、および（Ｂ）制御装置が揚水ポンプ１９による揚水開始および揚水停止を制御する。
【００６４】
（３）緑化槽２がビオトープ型の緑化槽あるいは水田型の緑化槽等の常に散水する場合には、制御装置が上部貯水槽１７の水位に基づいて揚水ポンプ１９の運転開始および停止を制御することが望ましい。
（４）緑化システムの近傍に雨量計を設置し、この雨量計からの雨量検知信号で所定の降雨量が検知されたときには、制御装置が散水を停止するように点滴型散水装置２１を制御することが望ましい。
【００６５】
（５）特許文献３に記載されているような土壌水分センサを緑化槽２の土壌６中に設置し、この土壌水分センサで検知した土壌６中の水分量に基づいて、制御装置が土壌６中の水分量が予め設定された所定の含水量以下になったと判断したとき、開閉バルブ２２を開いて散水を行うようにすることもできる。
【００６６】
（６）ヒートアイランド現象を緩和するために、温度計により緑化槽２の表面温度を測定して、制御装置が緑化槽２の表面温度が所定温度になったと判断したとき、開閉バルブ２２を開いて散水を行うようにすることもできる。
【００６７】
図示しないが、開閉バルブ２２のそれより下流側（開閉バルブ２２に関し上部貯水槽１７と反対側）に連結された管が所定数の分岐管に分岐されており、これらの分岐管にそれぞれ点滴型散水パイプ２３が連結されている。これらの点滴型散水パイプ２３は緑化槽２の領域全体にわたって配置されていて、開閉バルブ２２が開かれて上部貯水槽１７の水が導入されたとき、各点滴型散水パイプ２３内の水がそれぞれ多数の小孔２３ａから図１（ａ）に示すように点滴状αに自然落下して緑化槽２の領域全体内の植物５および土壌６にほぼ均一に散水するようにされている。その場合、複数の点滴型散水パイプ２３を緑化槽２の領域全体にわたって適宜配置しかつ点滴状αに給水することで、水を緑化槽２の領域全体にわたって土壌を水の噴流で飛ばすことなく給水することができる。点滴型散水装置２１としては、市販のもの（例えば、商品名水やり君：（株）松下電器製作所製）を利用することができる。もちろん、点滴型散水装置２１はこれに限定されることはなく、必要時に点滴状に散水することができるものであれば、どのようなものも用いることができる。
【００６８】
この第１例の緑化システム１では、開閉バルブ２２を開閉駆動する電力として、前述のソーラーパネルで発電された電力を用いることできるが、前述と同様に、通常の電力等の他の電力を用いることもできる。
点滴型散水パイプ２３内の水の自然落下で緑化槽２の植物５に確実に散水するためには、点滴型散水パイプ２３の下部が植物５のトップより上方でかつ上部貯水槽１７の下部に対応する位置に設ける必要がある。そのためには、上部貯水槽１７の底部ができるだけ上方に位置することが望ましい。しかし、上部貯水槽１７の底部はこれに限定されるものではない。
【００６９】
この第１例の緑化システム１では、緑化槽２と隔離板３と底部貯水槽４とからなる一対の共通槽、下部貯水槽９、上部貯水槽１７、揚水ポンプ１９、および揚水ホース２０が１つのブロックとして構成される。この１ブロックはその大きさが縦横１ｍ×２ｍ程度の大きさに設定されるとともに、任意の場所に搬送できる可搬型ブロックとされている。その場合、各ブロックは、図１（ａ）に示すように上部貯水槽１７が最上位置に配置され、この上部貯水槽１７より下方位置に緑化槽２および底部貯水槽４の共通槽が配置され、更に、この共通槽より下方位置に下部貯水槽９が配置される。
【００７０】
そして、屋上２に設置するブロックの数は設置しようとする屋上２の面積に応じて設定され、設定された数のブロックが屋上２の床面に、全面的にあるいはほぼ全面にあるいは部分的に並べられて設置される。その場合、各緑化槽２は、すべて陸地植物生育型、水中植物生育型およびビオトープ型のいずれか１つであってもよいし、あるいは、それぞれこれらの陸地植物生育型、水中植物生育型およびビオトープ型の少なくともいずれか２つ以上を組み合わせてもよく、建築物の設置環境や建築物の種類等の建築物の状況に応じて設定すればよい。
【００７１】
このように構成されたこの第１例の緑化システム１においては、設定数の前述のブロックが建築物の屋上に全面的にあるいは部分的に設置され、各ブロックの緑化槽２にはそれぞれ、例えば図１（ａ）に示すように土壌６が収納されかつそれらの土壌６には多数の植物５が植えられている。雨天時、各ブロックの緑化槽２にも雨が降るが、各緑化槽２に降った雨水（以下、単に水ともいう）は、それぞれ、緑化槽２内の土壌６を浸透しかつ隔離板３の多数の小孔３ａを通って底部貯水槽４内に貯水される。
【００７２】
このように、屋上に降った雨水のうち、各緑化槽２に降った雨水が底部貯水槽４内に貯水されるので、建築物から流出する雨水の量が抑制される。これにより、建築物周囲の雨水量が少なくなり、洪水のおそれが低減する。特に、降雨量が５０ｍｍ／ｈｒ程度のかなり強い雨であっても、屋上に降った雨水の一部が底部貯水槽４内に確実に貯水されるので、建築物から流出する雨水の量が効率よく抑制され、建築物周囲における洪水のおそれは効果的に低減する。
【００７３】
底部貯水槽４内の貯水量が満杯になり、緑化槽２に降った雨水が土壌６を浸透しなくなると、土壌６の表面上に貯水するようになる。そして、土壌６の表面上に貯水した雨水の水位が緑化槽越流部７の高さｈ1より高くなると、この雨水は緑化槽越流部７から流出パイプ８を通して自動的に流出し、下部貯水槽９の第１下部水槽１１内に貯水される。通常第１下部水槽１１内の水位１８ａが第２下部水槽１２内の水位より高いので逆止弁１４が閉じたままの保持されるので、第１下部水槽１１内に貯えられた水１８は開口１０ａを通って第２下部水槽１２内に流出しない。
【００７４】
第１下部水槽１１内に貯水された水１８の水位１８ａが図１（ａ）に二点鎖線で示す下部貯水槽越流部１３の位置を越えると、第１下部水槽１１内の水１８は、二点鎖線で示すように下部貯水槽越流部１３から流出し、第２下部水槽１２内に貯留する。そして、第２下部水槽１２内の水の水位が第２下部水槽用取り出し口１６の高さｈ4を越えると、第２下部水槽１２内の水はその一部が第２下部水槽用取り出し口１６から流出して、例えば水洗便所の用水の貯留槽等の用水用貯留槽（不図示）に貯えられる。
更に、例えば大雨時のように第２下部水槽１２内の水位が第２下部水槽越流部１５の高さｈ3より高くなると、第２下部水槽１２内の水は第２下部水槽越流部１５を通して外部に流出する。
【００７５】
一方、揚水ポンプ１９はその前述のいずれかの運転方法により運転されることにより、第１下部水槽１１内の水が所定量だけ上部貯水槽１７に揚水されかつ貯留される。
上部貯水槽１６内に貯留された水の水位が、取出し口（開閉バルブ２２の設置箇所）の位置および点滴型散水パイプ２３の小孔２３ａの高さ位置より高くなると、散水が可能となる。しかし、通常時は開閉バルブ２２が閉じているので、上部貯水槽１６内の水は点滴型散水パイプ２３の方へ流出しない。そして、開閉バルブ２２はその前述のいずれかの開閉方法により開かれることにより、上部貯水槽１６内の水が開閉バルブ２２を通して点滴型散水パイプ２３内に流出し、更に、点滴型散水パイプ２３内の水は多数の小孔２３ａから点滴状αに自然落下して緑化槽２内の植物５および土壌６に、土壌６が飛ばされることなく散水される。
【００７６】
点滴型散水パイプ２３からの水の散水あるいは降雨により、緑化槽２内の植物が成長していくと、その根５ａが図１（ａ）に示すように隔離板３の小孔３ａを通って底部貯水槽４内の水中に進入する。これにより、各植物５はそれらの根５ａから底部貯水槽４内の水を吸い上げることができるようになり、底部貯水槽４内の水で更に成長を続けるようになる。このように、植物５が根５ａから底部貯水槽４内の水を吸い上げることで、点滴型散水パイプ２３からの散水の回数を低減することができる。
【００７７】
この第１例の緑化システム１によれば、建築物の屋上に緑化システム１を構築しているので、緑化槽２の表面から水分が蒸発することで、この蒸発熱の効果からヒートアイランド現象を緩和することができる。これにより、夏季において建築物内の温度上昇が抑制されるので、建築物の冷房の使用を低減できる。したがって、この冷房の使用低減によっても、ヒートアイランド現象の緩和を更に緩和することができる。
【００７８】
また、緑化槽２から流出する水を下部貯水槽９に貯留するようにしているので、屋上に降った雨水が緑化槽２から溢れても建築物からその周囲に直接流出することを阻止でき、建築物からの雨水の流出をより一層効果的に抑制および遅延することができる。特に、多くのビルが林立するビル群の有る都市域において、各ビルの屋上に緑化システム１を設置することで建築物からの雨水の流出を効果的に抑制および遅延でき、都市域における洪水あるいは建築物内への浸水を防止できる。しかも、前述のスコールのようなきわめて多くの雨量の大雨に対して下部貯水槽９の深さ（容量）を適宜設定することで、多量の雨水を底部貯水槽４に確実に貯水でき、建築物からの雨水の流出をより効果的に抑制および遅延することができる。
【００７９】
しかも、下部貯水槽９を第１および第２下部水槽１１,１２に区画しているので、緑化槽２への散水のための水を第１下部水槽１１内に貯留するとともに、緑化槽２への散水用として必要でない余分な水を第２下部水槽１２内に貯留しかつ第２下部水槽１２内の水を、例えば水洗便所の用水等の建築物内の種々の用水設備のための用水に利用することができる。
これにより、前述のヒートアイランド現象の軽減を図りかつ建築物からの雨水の流出を効果的に抑制して自然災害を未然に防止しあるいは自然災害による被害をより少なく抑えつつ、下部貯水槽９内に貯留された水を種々の用水に効率よく利用することができる。
【００８０】
更に、下部貯水槽９を第１および第２下部水槽１１,１２に区画し、かつ第２下部水槽１２から第１下部水槽１１へ向かう水の流動のみを許容する逆止弁１４を用いているので、降雨が少なく、第１下部水槽１１に散水に必要な量の水が貯え難い場合に、第２下部水槽１２内の水が第１下部水槽１１内に補給されるので、散水に必要な水をより安定してより確実に確保することができる。
【００８１】
特に、第２下部水槽用取り出し口１６の高さを所定の高さｈ4に設定することで、第２下部水槽１２内に貯えられた高さｈ4以下の水を、例えば渇水時の用水や緊急時の用水等の更に他の用水に利用することができる。これにより、下部貯水槽９内に貯留された水をより一層効率よく利用することができる。
【００８２】
更に、緑化槽２の下に底部貯水槽４を設けているので、降雨時、屋上に降った雨水をこの底部貯水槽４で一旦貯水することができる。これにより、屋上に降った雨水が建築物からその周囲に直接流出することを阻止できるので、建築物からの雨水の流出を更に効果的に抑制および遅延することができる。その場合、底部貯水槽４の深さ（容量）を適宜設定することで、多量の雨水を底部貯水槽４に確実に貯水でき、建築物からの雨水の流出をより効果的に抑制および遅延することができる。
【００８３】
また、緑化槽２の下に底部貯水槽４を設けるとともに、緑化槽２と底部貯水槽４との間に多数の小孔３ａを有する隔離板３を介在させているので、直物７の根５ａがこれらの小孔３ａを通って底部貯水槽４の貯水中に進入することで、底部貯水槽４内の水を植物５の生育に有効に利用することができる。これにより、開閉バルブ２２の開閉頻度を少なくでき、開閉バルブ２２の開閉管理を簡略化することができる。その場合、植物５および土壌６に点滴状に散水しているので、給水時に緑化槽表面の土砂の流出を防止できるとともに土壌６を飛ばして緑化槽６の表面の洗掘を防止でき、緑化槽２の領域全体に均一に給水することができる。
特に、点滴型散水装置２１の作動を制御装置で自動制御することで、給水管理および緑化システムのメインテナンスを簡単にすることができる。
【００８４】
このようにして、屋上の緑化によるヒートアイランド現象の軽減を図りつつ、建築物からの雨水の流出を効果的に抑制して自然災害を未然に防止しあるいは自然災害による被害をより少なく抑え、しかも緑化槽２の植物５を効果的に育成することができる。
【００８５】
更に、底部貯水槽４、下部貯水槽９および上部貯水槽１７の３つの貯水槽を設けるだけで、屋上の緑化と建築物からの雨水の流出抑制とを行っているので、簡単な構成でかつ低コストで緑化システム１を構築することができる。特に、緑化システム１をブロック単位で構成することにより、所定数のブロックを単に並べて配置するだけで、緑化システム１の設置を短時間で簡便に行うことができる。しかも、このブロックを可搬型にすることで、任意の設置場所および屋上の任意の形状に柔軟に対応することができる。
【００８６】
更に、下部貯水槽９および上部貯水槽１７をともに屋上に設置するとともに、上部貯水槽１７を下部貯水槽９のすぐ上に設けているので、下部貯水槽９と上部貯水槽１７との高低差を小さくできる。これにより、下部貯水槽９内の水１８と上部貯水槽１７内の水との位置エネルギ差を小さくできるので、揚水ポンプ１９による揚水エネルギを小さくできる。したがって、揚水ポンプ１９のポンプ容量を小さくでき、揚水ポンプ１９に小型ポンプを用いることができる。しかも、この第１例の緑化システム１では雨水を用い水道水を使用しないので、小型ポンプの使用に相俟って稼動費および管理費を安価にすることができる。そのうえ、ポンプの駆動や開閉バルブ２２の開閉駆動にソーラーパネルの電力を利用することで、更に管理を低減することができる。
【００８７】
更に、複数のブロックの各緑化槽２に、前述の陸地型、水中植物型、およびビオトープ型のいくつかの緑化槽を適宜組み合わせ使用することにより、ヒートアイランド現象をより効果的に低減できるとともに、屋上の景観を良好にしてオアシスの機能を発揮させることができる。
【００８８】
図３は、本発明に係る緑化システムの実施の形態の第２例を模式的に示し、（ａ）は全体概略図、（ｂ）は（ａ）における部分拡大図である。なお、以後の各例の説明において、その例より前の例の構成要素と同じ構成要素には同じ符号を付すことで、その詳細な説明は省略する。
【００８９】
前述の第１例では、下部貯水槽９の第１および第２下部水槽１１,１２が隔壁１０によって区画されているが、図３（ａ）に示すようにこの第２例の緑化システム１における下部貯水槽９の第１および第２下部水槽１１,１２は、互いに個別に独立して設けられた平面視矩形状の２つのボックスから構成されている。これらの２つのボックスは同じ高さ位置またはほぼ同じ高さ位置に設置される。
【００９０】
第１下部水槽１１には、第１例と同様に高さｈ2の位置に下部貯水槽越流部１３が設けられている。そして、第１および第２下部水槽１１,１２は、第１下部水槽１１の下部貯水槽越流部１３に連結された直径ｄ1の第１連結ホース（管）２４で連通されているとともに、２つのボックスの底部または底部より若干上方位置に配置されかつ第１連結ホース（管）２４の径ｄ1より大きな直径ｄ2（ｄ2＞ｄ1）の第２連結ホース（管）２５で連通されている。この第２連結ホース（管）２５は、第２下部水槽１２の第２下部水槽用取り出し口１６の高さｈ4より下方位置に設けることが好ましい。また、第１連結ホース（管）２４は必ずしも水平に設ける必要はなく、第１下部水槽１１の下部貯水槽越流部１３に連結されていさえすれば、第２下部水槽１２側が低くなるように傾斜されていてもよい。しかし、第１下部水槽１１内の水が第１連結ホース（管）２４を通って第２下部水槽１２内に流れる際、第１連結ホース（管）２４内に空気通路が形成されて水の流れを容易にかつ確実にするためには、第１連結ホース（管）２４は水平に設けることが望ましい。
【００９１】
図３（ｂ）に示すように、第２連結ホース（管）２５が第１下部水槽１１に開口する開口部には、前述の逆止弁１４が設けられていて、第２下部水槽１２から第１下部水槽１１への水の流動は許容するが、その逆向きの水の流動は阻止するようになっている。なお、逆止弁１４は第２連結ホース（管）２５の中間位置あるいは第２連結ホース（管）２５が第２下部水槽１２に開口する開口部に設けることもできる。
この第２例の緑化システム１の他の構成は、前述の第１例の緑化システムと同じである。
【００９２】
この第２例の緑化システム１によれば、第１および第２下部水槽１１,１２を独立した２つのボックスから構成しているので、第１および第２下部水槽１１,１２を互いに所定距離を置いて設置することができる。これにより、屋上の形状に柔軟に対応させて第１および第２下部水槽１１,１２を配置することができるので、第１および第２下部水槽１１,１２の設置自由度を高くすることができる。また、第１および第２下部水槽１１,１２を任意に離して設置できるので、緑化槽２および底部貯水槽４の共通槽をこの共通槽の大きさに合わせて効率よく支持する支持ベースとして機能させることができる。
【００９３】
また、逆止弁１４が設けられている第２連結ホース（管）２５の径ｄ2を大きくすることで、逆止弁１４の開閉を確実にすることができる。なお、第１および第２連結ホース（管）２４,２５の径ｄ1,ｄ2はｄ2＞ｄ1に限定されることはなく、ｄ2＝ｄ1あるいはｄ2＜ｄ1に設定することもできる。しかし、前述の作用効果を得るためには、両径ｄ1,ｄ2はｄ2＞ｄ1に設定することが好ましい。
この第２例の緑化システム１の他の作用効果は、前述の第１例の緑化システム１と実質的に同じである。
【００９４】
図４は、本発明に係る緑化システムの実施の形態の第３例を模式的に示し、（ａ）は全体概略図、（ｂ）は（ａ）における部分拡大図である。
前述の第２例では、下部貯水槽９の第１および第２下部水槽１１,１２を平面視矩形状の２つのボックスから構成しているが、図４（ａ）および（ｂ）に示すようにこの第３例の緑化システム１における下部貯水槽９の第１および第２下部水槽１１,１２は、互いに個別に独立して設けられた円筒状パイプから形成されている。その場合、第２下部水槽１２は、互いに個別に独立して設けられかつそれぞれ３つの円筒状パイプから形成された３つの第２−１下部水槽部１２ａ、第２−２下部水槽部１２ｂ、および第２−３下部水槽部１２ｃから構成されている。すべての円筒状パイプはそれらの両側面が閉塞されて密封容器として構成されている。これらの円筒状パイプは同じ高さ位置またはほぼ同じ高さ位置にかつ平行に設置される。
【００９５】
そして、第１下部水槽１１と、第２下部水槽１２の最も第１下部水槽１１に近い第２−１下部水槽部１２ａとが、第２例と同様に第１および第２連結ホース（管）２４,２５で連通されている。その場合、第１連結ホース（管）２４は、第１下部水槽１１の高さｈ2の位置に設けられた下部水槽越流部１３に連結されている。また、第２−１下部水槽部１２ａと第２−２下部水槽部１２ｂとが第３連結ホース（管）２６で連通されているとともに、第２−２下部水槽部１２ｂと第２−３下部水槽部１２ｃとが第４連結ホース（管）２７で連通されている。第３および第４連結ホース（管）２６,２７は、いずれも第２連結ホース（管）２５と同じ直径を有しかつ同じ高さ位置に配設されている。なお、第２−１下部水槽部１２ａおよび第２−２下部水槽部１２ｂの上部に、第１ないし第４連結ホース（管）２４,２５,２６,２７を通る水の流れを容易にかつ確実にするために外部と連通する空気通路を設けることが望ましい。
【００９６】
なお、第３および第４連結ホース（管）２６,２７は、互いに直径が異なりかつ第２連結ホース（管）２５の直径と異なってもよく、また、第２連結ホース（管）２５と異なる高さ位置に配設されてもよい。
最後の第２−３下部水槽部１２ｃには、前述の各例と同様に第２下部水槽越流部１５と第２下部水槽取り出し口１６が設けられている。
また、揚水ポンプ１９は第１下部水槽１１の外に設置されているとともに、第５連結ホース（管）２８によって第１下部水槽１１内に連通されている。
この第３例の緑化システム１の他の構成は、前述の第１例の緑化システムと同じである。
【００９７】
この第３例の緑化システム１によれば、第１および第２下部水槽１１,１２を円筒状パイプで構成しているので、第１および第２下部水槽１１,１２を容易に製造することができる。また、第２下部水槽１２を３つの円筒状パイプから構成しているので、第２下部水槽１２を屋上の形状に柔軟に対応させて配置することができ、第２下部水槽１２の設置自由度をより一層高くすることができる。
この第３例の緑化システム１の他の作用効果は、前述の第１および第２例の緑化システム１と実質的に同じである。
【００９８】
なお、第２下部水槽１２の円筒状パイプは３つに限定されることはなく、１つ以上任意に設けることもできる。また、複数の円筒状パイプは必ずしも図４（ａ）に示すように並設することはなく、円筒状パイプの長手方向に一列に整列して配設されてもよいし、また円筒状パイプを長手方向の配設と平行の配設とを組み合わせてもよい。その場合、第１および第２下部水槽１１,１２の各円筒状パイプはそれらの円筒外周面どうしを連通させる以外に、それらの両端面どうしを連通させることもできるし、端面と円筒外周面とを連通させることもでき、種々の連通方法が可能である。第１および第２下部水槽１１,１２に、円筒状パイプ以外の例えば角筒形パイプを用いることもできる。更に、前述の第２例のボックスからなる第２下部水槽１２においても、この第３例と同様に複数設けることもできるし、更に、第２例のボックスと第３例のパイプとを組みあわせて使用することもできる。
【００９９】
図５は、本発明に係る緑化システムの実施の形態の第４例を模式的に示し、（ａ）は全体概略図、（ｂ）は（ａ）における部分拡大図である。
前述の第１例では、緑化槽越流部７が緑化槽２内の土壌６の表面（上面）より若干（数ｃｍ程度）高い位置に設けられているが、図５（ａ）および（ｂ）に示すようにこの第４例の緑化システム１では、隔離板３の上面位置、つまり実質的に底部貯水槽４の最上位置に設けられている。
この第４例の緑化システム１の他の構成および他の作用効果は、いずれも前述の第１例と実質的に同じである。
【０１００】
図６は、本発明に係る緑化システムの実施の形態の第５例を模式的に示し、（ａ）は全体概略図、（ｂ）は（ａ）における部分拡大図である。
前述の第１例では、緑化槽２の真下に隔離板３を介して底部貯水槽４が設けられているが、図６（ａ）および（ｂ）に示すようにこの第５例の緑化システム１では、底部貯水槽４が設けられていない。
この第５例の緑化システム１の他の構成は前述の第１例と実質的に同じである。また、この第５例の緑化システム１の作用効果は底部貯水槽４に基づく作用効果を除いて、第１例と実質的に同じである。
【０１０１】
図７は前述の各例に用いられる緑化槽の一例を示し、（ａ）は平面図、（ｂ）は正面図であり、図８は図７に示す緑化槽に用いられる土壌ブロックを示す斜視図である。
図７（ａ）および（ｂ）に示すように、緑化槽２内には、それぞれ同じ大きさの直方体形状に形成された所定数（図示例では、４個）の土壌ブロック２９が並設されている。その場合、緑化槽２の側壁２ａと土壌ブロック２９との間および隣接する土壌ブロック２９どうしの間には、それぞれ若干の隙間ｃが設定されている。この隙間ｃにより、土壌ブロック２９に降った雨水や点滴型散水パイプ２３から土壌ブロック２９に点滴で供給された水等の植生に必要な水以外の余剰水がこの隙間に流出し、更に緑化槽越流部７および流出パイプ８を通して下部貯水槽９に流入するようになっている。
【０１０２】
これらの土壌ブロック２９は、植物が生育される土壌６を含んでいるとともに、土壌ブロック２９が緑化槽２内に設置される前に、雑草を主体にする植物の種子が土壌ブロック２９の土壌６中に予め含まれている（蒔かれている）。
【０１０３】
図８に示すように、土壌ブロック２９は底面板３０とその外周縁に全周にわたって立設された側壁３１とから構成されており、底面板３０と側壁３１とから構成される収容部に、種子を含んだ土壌６が収納されている。この土壌ブロック２９の幅Ｂ（ｍ）、長さＬ（ｍ）、および高さの（土壌の厚さ）ｄ（ｃｍ）は可搬可能にかつ緑化槽２の大きさに対応して決定されている。底面板３０は、完全に遮水でない透水性の低い、つまり難透水性の板またはシートでで構成される。この底面板３０には、例えば、合板（ベニヤ板）、合成樹脂の板、合成樹脂製のシートなどの市販のものを用いることができる。
【０１０４】
また、側壁３１は、運搬時に土壌６が崩れない程度の強さを有し、緑化槽２内に設置後には水を通過させ、いずれは（所定時間経過後には）腐敗して土壌の一部となる材料で構成される。この側壁３１には、例えば、段ボール板あるいは厚手の紙等を用いることができる。更に、土壌６に予め含ませる植物の種子は、土壌ブロック２９が緑化槽２に設置された後に植物の種子が発芽するとともに生育のし易い植物の種子がよい。植物としては特に限定されないが、生育後に手間や費用があまりかからなく、管理がし易い雑草等の植物が望ましい。
【０１０５】
このような土壌ブロック２９を用いることで、土壌６の運搬作業および緑化槽２への土壌６の収納作業がともに簡単にかつ作業時間を短縮できる。しかも、土壌ブロック２９の設置前にこの土壌ブロック２９の土壌６中に予め植物５の種子を含ませる（蒔く）ことで、土壌ブロック２９の設置後に植物５の種子を蒔く作業を不要にできる。また、土壌ブロック２９の植生の成長などに不具合が出たとき、その土壌ブロック６のみを交換すればよいだけであるので、維持管理がより一層容易となる。
【０１０６】
図９は、本発明に係る緑化システムの実施の形態の第６例を模式的に示す全体概略図である。
図９に示すようにこの第６例の緑化システム１では、前述の第１例の緑化システム１における緑化槽２の土壌６に、図８に示す土壌ブロック２９が図７に示すと同様に設置されている。
【０１０７】
また、前述の第１例では、下部貯水槽９が隔壁１０によって、第１下部水槽１１と第２下部水槽１２とに区画されているが、この第６例の緑化システム１では、下部貯水槽９は区画されず、単一の貯水槽として形成されている。
【０１０８】
更に、第６例の緑化システム１では、点滴型散水パイプ２３の小孔２３ａに代えて、所定数の点滴ノズル２３ｂが点滴型散水パイプ２３に設けられている。図示しないが点滴型散水パイプ２３は分岐されており、各点滴ノズル２３ｂは、図７（ａ）および（ｂ）に示すように、それぞれ各土壌ブロック２９の中心位置となるように配設されている。
【０１０９】
このように点滴ノズル２３ｂが配設された場合、各点滴ノズル２３ｂ間の間隔は緑化槽２の大きさ、つまり土壌ブロック２９の大きさに基づいて決定される。そして、土壌６に散水する場合の散水量ｑ0（ｃｍ3）、散水時間の間隔Ｔ（ｈｏｕｒ）が、土壌６の含水率ｐが最適含水率となるように設定される。その場合、含水率ｐは土壌６中に含まれる水の重さを、水を含む土壌６の重さで割った値である（単位なし。なお、両重さの単位は同一であり、例えばｋｇ等で与えられる）。また、最適含水率は、植生の成長が維持でき、枯死しない程度の含水率ｐである。
【０１１０】
土壌６の含水率ｐは、次のようにして求められる。理論解析の結果、含水率ｐは次の２つのパラメータα,βによって決まることがわかった。
【０１１１】
【数１】
2007267731.tif 000003
【０１１２】
【数２】
2007267731.tif 000004
【０１１３】
そして、含水率ｐはこれらのパラメータα,βにより、
【数３】
2007267731.tif 000005
【０１１４】
で与えられる。これらの数式１ないし３において、Ｌは点滴ノズル２３ｂの間隔（ｍ）で図７（ａ）に示す土壌ブロック２９の幅Ｂ（ｍ）あるいは長さＬ（ｍ）のいずれか一方を緑化槽２の設置場所等状況に応じての適宜選択して用いられる。この場合、土壌ブロック２９間等の隙間ｃ（ｃｍ）は幅Ｂ（ｍ）および長さＬ（ｍ）に比してきわめて小さいので無視し、点滴ノズル２５ｂの間隔Ｌ（ｍ）は実質的に幅Ｂ（ｍ）あるいは長さＬ（ｍ）とみなすことができる。また、λは土壌の空隙率であり、空隙率は土壌６中の空隙の体積を土壌の体積で割った値（単位なし）である。更に、ｋは透水係数または拡散係数（ｃｍ／ｓ）である。更に、ｅvは単位時間（ｓｅｃ）当たりでかつ単位面積当たりの蒸発量（ｃｍ3／ｓ／ｃｍ2）、ｅvは単位時間（ｓｅｃ）当たりでかつ単位面積当たりの隔離板３からの漏水量（ｃｍ3／ｓ／ｃｍ2）である。
【０１１５】
そして、数式２によりパラメータβを求め、求めたβと、緑化槽２の設置状況に応じて最適に設定した含水率ｐとに基づいて、数式３によりパラメータαを求める。最後に、求めたαに基づいて、数式１により散水時間の時間間隔Ｔ（ｈｏｕｒ）を求める。
【０１１６】
更に、上部貯水槽１７には、二次利用水パイプ３２が開閉バルブ３３を介して接続されている。開閉バルブ３３が開閉制御されることで、上部貯水槽１７の水が二次利用水パイプ３２を通して、例えば水洗便所の用水、庭の植物に散水するための水、および自動車の洗車のための水等に二次利用されるようになっている。その場合、開閉バルブ３３の開閉は手動あるいは前述の制御装置によって適宜制御される。
【０１１７】
この第６例の緑化システム１によれば、緑化槽２の土壌６に、緑化槽２の大きさに基づいて予め設定された土壌ブロック２９を用いているので、緑化槽２の設置がきわめて簡単になる。しかも、土壌ブロック２９の設置前にこの土壌ブロック２９の土壌６中に予め植物５の種子を含ませている（蒔いている）ので、土壌ブロック２９の設置後に植物５の種子を蒔く作業が不要となり、緑化システム１の設置作業をきわめて簡単にできかつ設置時間を効果的に短縮できる。特に、植物の種子として雑草の種子を用いることにより、緑化システムの設置場所を含む周辺地域の生態系を保全維持可能となり、植物の遺伝子の保全の点でも意義が大きいものとなる。
この第６例の緑化システム１の他の構成および他の作用効果は、前述の第１例と実質的に同じである。
【０１１８】
なお、前述の各例において、緑化槽２が設けられる部分を底部貯水槽４と同じ水平断面積でかつ底部貯水槽４とは別体の緑化槽として形成してこの緑化槽を底部貯水槽４の上に取り外し可能に設置してもよい。その場合、緑化槽２の底部に隔離板３を設けるとともに、この隔離板３の上に緑化槽２を形成するようにする。更に、底部貯水槽４の水平断面積の大きさを緑化槽のそれよりも大きく形成することもできるが、このとき、底部貯水槽４の上部開口部が部分的に上方に開放する場合には、その開放部分は閉塞するようにする。これにより、底部貯水槽４内の水が前述と同様に腐敗するのが抑制される。
【０１１９】
また、緑化槽２、底部貯水槽４、下部貯水槽９および上部貯水槽１７をいずれも平面視矩形状に形成するものとしているが、これに限定されるものではなく、それぞれ個別に種々の形状に形成することもできる。更に、散水装置として点滴型散水装置２１に限定されることはなく、従来公知の散水装置を用いることもできる。
【０１２０】
更に、前述の例では、本発明の緑化システムを屋上の緑化システム１として説明しているが、本発明はこれに限定されるものではなく、ベランダ、テラス、および舗装グランドや舗装道路等の人工地盤などの他の人工建造物の、例えばコンクリートまたはアスファルト舗装面等の平坦部を緑化する緑化システムにも適用することができる。
【０１２１】
更に、本発明における平坦部は、必ずしも表面が滑らかでなく、表面に凹凸を有する平坦部、あるいは必ずしも水平面でなく、傾斜面であって人工建造物により水平面に維持された平坦部等の、本発明の緑化システムが設置可能で全体的に平坦部である場合も含む。
【産業上の利用可能性】
【０１２２】
本発明の緑化システムは、雨水を利用して、屋上、ベランダ、テラス、および舗装グランドや舗装道路等の人工地盤などの人工建造物の、例えばコンクリートまたはアスファルト舗装面等平坦部を緑化する緑化システムに好適に利用することができる。
【図面の簡単な説明】
【０１２３】
【図１】本発明に係る緑化システムの実施の形態の第１例を模式的に示し、（ａ）は全体概略図、（ｂ）は（ａ）における部分拡大図である。
【図２】図１に示す例の屋上緑化システムに用いられる隔離板を示し、（ａ）は縦横に整列された多数の小孔を示す図、（ｂ）はランダムに配置された多数の小孔を示す図である。
【図３】本発明に係る緑化システムの実施の形態の第２例を模式的に示し、（ａ）は全体概略図、（ｂ）は（ａ）における部分拡大図である。
【図４】本発明に係る緑化システムの実施の形態の第３例を模式的に示し、（ａ）は全体概略図、（ｂ）は（ａ）における部分拡大図である。
【図５】本発明に係る緑化システムの実施の形態の第４例を模式的に示し、（ａ）は全体概略図、（ｂ）は（ａ）における部分拡大図である。
【図６】本発明に係る緑化システムの実施の形態の第５例を模式的に示し、（ａ）は全体概略図、（ｂ）は（ａ）における部分拡大図である。
【図７】前述の各例に用いられる緑化槽の一例を示し、（ａ）は平面図、（ｂ）は正面図である。
【図８】図７に示す緑化槽に用いられる土壌ブロックを示す斜視図である。
【図９】本発明に係る緑化システムの実施の形態の第６例を模式的に示す全体概略図である。
【符号の説明】
【０１２４】
１…緑化システム、２は緑化槽、３は隔離板、４は底部貯水槽、５は植物、６は土壌、７は緑化槽越流部、８…流出パイプ、９…下部貯水槽、１０…隔壁、１１…第１下部水槽、１２…第２下部水槽、１３…下部貯水槽越流部、１４…逆止弁、１５…第２下部水槽越流部、１６…第２下部水槽用水取り出し口、１７…上部貯水槽、１８…水、１９…揚水ポンプ、２０…揚水ホース、点滴型散水装置、２２…開閉バルブ、２３…点滴型散水パイプ、２４…第１連結ホース（管）、２５…第２連結ホース（管）、２６…第３連結ホース（管）、２７…第４連結ホース（管）、２９…土壌ブロック、３０…底面板、３１…側壁
【図１】
2007267731.tif 000006
【図２】
2007267731.tif 000007
【図３】
2007267731.tif 000008
【図４】
2007267731.tif 000009
【図５】
2007267731.tif 000010
【図６】
2007267731.tif 000011
【図７】
2007267731.tif 000012
【図８】
2007267731.tif 000013
【図９】
2007267731.tif 000014